(57)【特許請求の範囲】
【請求項１】
クッション材で形成された複数のマット体を上下に重ね合せてなるマット本体と、該上下マット体の間に配索されたエアー供給ホースと、該エアー供給ホースに接続されたエアー供給源とを備えた寝具用マットであって、
前記エアー供給ホースを、複数のホースと、該複数のホースを接続する硬質のジョイントとを平面状の格子状に配置して構成し、
前記ジョイントに、前記エアー供給源からのエアーが噴射される噴射孔を、前記エアー供給ホースが配索された平面に対し交差して設け、
前記エアー供給ホースの少なくとも格子の角となる部分に前記ジョイントを有するとともに、
前記ジョイントを３方に接続ポートを有するＴ字状ジョイントで構成した
寝具用マット。
【請求項２】
前記エアー供給ホースにおける前記マット本体の長手方向と平行に配置された両外側の２本の外側ホースの間に前記マット本体の短手方向に間隔を隔てて設けられる前記ホースが、前記マット本体の短手方向と平行に配置された両外側の２本の外側ホースに対して前記Ｔ字状ジョイントを介して連結された
請求項１に記載の寝具用マット。
【請求項３】
前記エアー供給ホースにおける前記マット本体の長手方向と平行に配置された両外側の２本の外側ホースの間に前記マット本体の短手方向に間隔を隔てて設けられる前記ホースを、前記マット本体の長手方向と平行にのばすとともに、
前記格子の角となる部分のジョイントが、前記ホースを接続しない接続ポートを前記マット本体の長手方向と直交する方向の外側に向けて配置された
請求項１に記載の寝具用マット。
【請求項４】
前記各ジョイントの噴射孔のエアー噴射方向を、前記マット本体の上方中央部に向けてエアーが噴射される角度に設定した
請求項１〜３のいずれか一つに記載の寝具用マット。
【請求項５】
前記マット本体の内部に、前記エアー供給源に接続された膨張収縮可能なエアーバッグを配置した
請求項１〜４のいずれか一つに記載の寝具用マット。
【請求項６】
前記マット本体を３枚のマット体で構成するとともに、
下の下層マットと中間の中層マットとの間に前記エアー供給ホースを備え、
前記中層マットと上に上層マットとの間に前記エアー供給源に接続された膨張収縮可能なエアーバッグを備えた
請求項１〜４のいずれか一つに記載の寝具用マット。
【発明の詳細な説明】
【技術分野】
【０００１】
この発明は、例えばマット本体の内部から外部に向けて噴射されるエアーを、予め設定されたエアー噴射方向に向けて安定して噴射することができる寝具用マットに関する。
【背景技術】
【０００２】
従来、前記寝具用マットとして、例えば既に提案済みのマットレス(特許文献１参照)には、エアーポンプから送られるエアーを、マットレス内部に配索されたチューブの空気吹き出し孔から吹き出すか、チューブの連結部分に設けられたＴ型コネクタの空気吹き出し孔から吹き出すなどして、マットレス内部の熱や湿気を外部へ排気することが開示されている。
【０００３】
しかし、上述の空気吹き出し孔が形成されたチューブ及びＴ型コネクタは、該空気吹き出し孔が形成された部分の両側部にチューブが形成又は連結されているだけであり、空気吹き出し孔が形成された部分に対し交差する方向にはチューブが形成又は連結されていない。  
したがって、利用者の体重がマットレス内部に配索されたチューブやＴ型コネクタに付加された際、チューブ及びＴ型コネクタが周方向に回転しやすく、空気吹き出し孔のエアー噴射方向を一定に保つことが困難である。同様に、チューブの周面に対し空気吹き出し孔が直接穿孔されたものも、上述と同様に利用者の体重によってチューブが周方向に回転するため、空気吹き出し孔のエアー噴射方向が不安定である。  
また、空気吹き出し孔のエアー噴射方向が変位すると、空気吹き出し孔から吹き出されるエアーが周辺に拡散してしまい、利用者の身体の表面温度を下げる冷却効果、マットレスの内部に溜まった熱や湿気を排出する換気効果が低下する。この結果、睡眠や休息を十分にとることができなくなる。さらにまた、周方向に回転しやすいチューブを繋ぎ合わせるので、チューブに形成された空気吹き出し孔のエアー噴射方向を調整する作業に手間及び時間が掛かる。
【先行技術文献】
【特許文献】
【０００４】
【特許文献１】特開２００５−６９５６号公報
【発明の概要】
【発明が解決しようとする課題】
【０００５】
この発明は、マット本体の内部から外部に向けて噴射されるエアーを、予め設定されたエアー噴射方向に向けて安定して噴射することができる寝具用マットを提供することを目的とする。
【課題を解決するための手段】
【０００６】
この発明は、クッション材で形成された複数のマット体を上下に重ね合せてなるマット本体と、該上下マット体の間に配索されたエアー供給ホースと、該エアー供給ホースに接続されたエアー供給源とを備えた寝具用マットであって、前記エアー供給ホースを、複数のホースと、該複数のホースを接続する硬質のジョイントとを平面状の格子状に配置して構成し、前記ジョイントに、前記エアー供給源からのエアーが噴射される噴射孔を、前記エアー供給ホースが配索された平面に対し交差して設け、前記エアー供給ホースの少なくとも格子の角となる部分に前記ジョイントを有するとともに、前記ジョイントを３方に接続ポートを有するＴ字状ジョイントで構成した寝具用マットであることを特徴とする。
【０００７】
つまり、エアー供給ホースの各ホース及び各ジョイントが上下マット体により平面状に配置された状態に支持される。  
これにより、例えば寝転がった時、または寝返り時等に付加される利用者の体重によって、寝具用マットの内部に配索されたエアー供給ホースが周方向に回転（例えばねじれ）するか、マット本体の引っ張り力によって格子状でない形状に変形する等しても、ジョイントに形成された噴射孔のエアー噴射方向が変位しにくく、エアー噴射方向の安定を図ることができる。
【０００８】
エアー供給ホースの各格子の角となる部分の配索を、該部分に配置したジョイントにより維持するので、エアー供給ホースを格子状に配索された状態に保つことができる。
【０００９】
これにより、ジョイントの噴射孔から噴射されるエアーを、格子状に配索されたエアー供給ホースの配索領域内に入った利用者の身体に向けて吹き付けることができる。
【００１０】
Ｔ字状ジョイントの３方に設けられた接続ポート及び該各接続ポートに接続された各ホースを上下マット体により支持するので、該ジョイントが周方向に回転しようとするのを防止することができる。  
これにより、ジョイントの噴射孔のエアー噴射方向が変位しにくく、予め設定されたエアー噴射方向に向けて噴射することができる。
【００１１】
また、ジョイントを硬質の部材で構成したので、利用者の体重がマット本体の内部に配索されたエアー供給ホースの接続部分に付加されても、その接続部分に設けられたジョイント自体が変形することがない。  
これにより、ジョイントの噴射孔のエアー噴射方向を予め設定された方向に保つことができる。
【００１２】
この発明の態様として、前記エアー供給ホースにおける前記マット本体の長手方向と平行に配置された両外側の２本の外側ホースの間に前記マット本体の短手方向に間隔を隔てて設けられる前記ホースを、前記マット本体の短手方向と平行に配置された両外側の２本の外側ホースに対して前記Ｔ字状ジョイントを介して連結するとよい。
【００１３】
この発明の態様として、前記エアー供給ホースにおける前記マット本体の長手方向と平行に配置された両外側の２本の外側ホースの間に前記マット本体の短手方向に間隔を隔てて設けられる前記ホースを、前記マット本体の長手方向と平行にのばすとともに、前記格子の角となる部分のジョイントを、前記ホースを接続しない接続ポートを前記マット本体の長手方向と直交する方向の外側に向けて配置するとよい。
【００１４】
また、この発明の態様として、前記各ジョイントに設けられた噴射孔のエアー噴射方向を、前記マット本体の上方中央部に向けてエアーが噴射される角度に設定することができる。  
つまり、エアー供給ホースの接続部分に設けられたジョイントの噴射孔から噴射されるエアーが、マット本体上に寝転んだ利用者の身体、あるいは、マット本体の上方中央部に向けて集中して吹き出される。  
これにより、利用者の身体が効率よく空冷され、体温上昇による発汗や蒸れを防止する効果が一段と向上する。
【００１５】
この発明の態様として、前記マット本体の内部に、前記エアー供給源に接続された膨張収縮可能なエアーバッグを配置することができる。  
つまり、例えば利用者の肩部、背部、腰部、脚部等の所望する部分にエアーバッグを予め配置しておけば、エアーバッグの膨張・収縮により各部分をマッサージすることができる。
【００１６】
前記クッション材は、例えばウレタンフォーム等の発泡樹脂成形体、ポリエステル繊維等の繊維成形体で構成することができる。  
また、エアー供給源は、例えばエアーポンプ、ブロワ（送風機）、コンプレッサー等で構成することができる。  
また、エアー供給ホースは、例えば柔軟性を有する合成ゴム製のフレキシブルホース等で構成することができる。  
また、ジョイントを構成する硬質の部材は、例えばＡＢＳ樹脂、ポリプロピレン等のプラスチック、或いは、ステンレス、真鍮等の金属で構成することができる。
【００１７】
前述のようにエアーバッグを備える場合には、前記マット本体を３枚のマット体で構成するとともに、下の下層マットと中間の中層マットとの間に前記エアー供給ホースを備え、前記中層マットと上に上層マットとの間に前記エアー供給源に接続された膨張収縮可能なエアーバッグを備えるとよい。
【発明の効果】
【００１８】
この発明によれば、利用者の体重がマット本体の内部に配索されたエアー供給ホースに付加されても、ジョイントの噴射孔のエアー噴射方向が変位しにくく、予め設定されたエアー噴射方向に向けて噴射することができるので、エアー噴射方向の安定を図ることができる。これにより、利用者の身体の表面温度を下げる冷却効果、寝具用マットの内部に溜まった熱や湿気を排出する換気効果が安定して得られる。
【図面の簡単な説明】
【００１９】
【図１】寝具用マットのエアー噴射状態及びバッグ収縮状態を示す斜視図。
【図２】頭部側から見た寝具用マットの内部構造を示す断面図。
【図３】エアーバッグの膨張状態を示す斜視図。
【図４】寝具用マットの分離状態を示す斜視図。
【図５】側面から見たカバーを除いた寝具用マットの内部構造を示す断面図。
【図６】噴射孔が垂直に形成されたジョイントを示す斜視図。
【図７】噴射孔が斜めに形成されたジョイントを示す斜視図。
【図８】頭部を除いてホースを配索した寝具用マットの他の例を示す斜視図。
【図９】ホースのみを配索した寝具用マットの他の例を示す斜視図。
【発明を実施するための形態】
【００２０】
この発明の一実施形態を以下図面に基づいて詳述する。  
図１は寝具用マット１０のエアー噴射状態及びバッグ収縮状態を示す斜視図、図２は頭部側から見た寝具用マット１０の内部構造を示す断面図、図３はエアーバッグ６０の膨張状態を示す斜視図、図４は寝具用マット１０の分離状態を示す斜視図、図５は側面から見たカバー１２を除いた寝具用マット１０の内部構造を示す断面図、図６、図７は噴射孔５９が垂直及び斜めに形成されたジョイント５４を示す斜視図である。
【００２１】
本実施形態の寝具用マット１０は、図１〜図５に示すように、下層マット２０と、中層マット３０と、上層マット４０とを下から順に重ね合せてなる上方から見て矩形に形成された３層構造のマット本体１１と、該マット本体１１の外周囲に被覆された通気性を有するカバー１２とで構成している。
【００２２】
マット本体１１上には、後述するエアー供給ホース５０を配索するための配索領域Ｘを設定している。その配索領域Ｘは、マット本体１１の全長を利用者Ａの頭部、肩部、背部が載置される上部領域ａと、腰部が載置される中央領域ｂと、脚部が載置される下部領域ｃとに区分けしている。  
また、マット本体１１のマット２０，３０，４０は、クッション材の一例である柔軟性を有するウレタンフォームで構成している。
【００２３】
カバー１２は、ダブルラッセル生地を用いて袋状に縫製している。また、カバー１２は、利用者Ａとマット本体１１との間に通気用の隙間が形成される構造を有しているので、利用者Ａがマット本体１１上に寝転んだ際、汗などの水分・湿気がマット本体１１の表面に溜まりにくく、サラッとした感触を利用者Ａに与えることができる。
【００２４】
下層マット２０と中層マット３０との間には、上方から見て格子状のエアー供給ホース５０を、マット本体１１の上部領域ａ、中央領域ｂ、下部領域ｃと対応する配索領域Ｘの全体に対し平面状に配索している。  
中層マット３０と上層マット４０との間には、マット本体１１上に寝転んだ利用者Ａの肩部と、背部と、腰部と、脚部をマッサージするためのエアーバッグ６０を複数配置している。
【００２５】
下層マット２０の厚みは、厚さ５４ｍｍに形成している。また、中層マット３０の厚みは、厚さ１５ｍｍに形成している。また、上層マット４０の厚みは、厚さ１０ｍｍに形成している。
【００２６】
また、下層マット２０の上面は、側面から見て滑らかな波状に形成している。つまり、滑らかな山部２１と谷部２２とを短手方向Ｃと平行して形成するとともに、該下層マット２０の長手方向Ｂに対し交互に連続して配置している（図４、図５参照）。
【００２７】
下層マット２０の下面には、深さ及び幅が同一の溝部２３を短手方向Ｃと平行して形成するとともに、該下層マット２０の長手方向Ｂに対し所定の間隔を隔てて複数本配列している。また、溝部２３は、下層マット２０の厚み方向中央部に到達する深さ（厚みの１／２深さ）に形成している。
【００２８】
マット本体１１の硬さは、下層マット２０を構成するウレタンフォームの密度と、該下層マット２０に形成される溝部２３の数とで調整している。  
つまり、下層マット２０の密度を高くすれば反発力が強くなり変形しにくくなり、その密度を低くすれば反発力が弱くなり変形しやすくなる。
【００２９】
下層マット２０の密度が均一であっても、溝部２３の本数を少なくすれば、溝部２３で区切られた部分の幅が広くなる。また、溝部２３の本数を多くすれば、溝部２３で区切られた部分の幅が狭くなる。この結果、幅が広い部分に比べて幅が狭い部分の反発力が弱くなる。  
これにより、マット本体１１の硬さ・柔らかさを調整することができる。
【００３０】
実施形態の下層マット２０の密度は均一であるが、下層マット２０の中央領域ｂに形成された溝部２３の本数を少なく、上部領域ａ及び下部領域ｃに形成された溝部２３の本数を多くしている。
【００３１】
これにより、利用者Ａがマット本体１１上に寝転んだ際、利用者Ａの腰部が載置されるマット本体１１の中央領域ｂが必要以上に沈み込むことがなく、腰部に与える負担を軽減することができる。
【００３２】
なお、溝部２３の深さや幅を変更してもよく、下層マット２０を所望する硬さに調整することができる。
【００３３】
エアー供給ホース５０は、図１、図４に示すように、マット本体１１の長手方向Ｂと平行して配索された縦ホース５１と、マット本体１１の短手方向Ｃと平行して配索された横ホース５２とを格子状に配置し、縦ホース５１及び横ホース５２の各格子の角となる接続部分にジョイント５４を配置して構成している。また、マット本体１１上に設定された上部領域ａ、中央領域ｂ、下部領域ｃとからなる配索領域Ｘの全体に配索している。
【００３４】
また、エアー供給ホース５０は、マット本体１１の長手方向Ｂと平行して配索された縦ホース５１と、該マット本体１１の短手方向Ｃと平行して配索された横ホース５２と、縦ホース５１及び横ホース５２の各格子の角となる接続部分を接続するジョイント５４を同一の平面状に配置して構成している。
【００３５】
縦ホース５１及び横ホース５２はマット本体１１の外周縁部よりも内側に配索している。また、縦ホース５１及び横ホース５２は、柔軟性を有する軟質の合成樹脂で形成され、エアーＤの供給が妨げられない程度の柔らかさに形成している。
【００３６】
縦ホース５１は、外側ホース５１ａと内側ホース５１ｂとで構成している。外側ホース５１ａは、マット本体１１の両側縁部に沿って該両側縁部よりも内側に配索している。
【００３７】
内側ホース５１ｂは、左右に配置された外側ホース５１ａよりも内側に配索され、マット本体１１の中央領域ｂを除く上部領域ａ及び下部領域ｃの中央部に２本ずつ配索している。また、内側ホース５１ｂ，５１ｂは、マット本体１１の短手方向Ｃに対し所定間隔を隔てて配索している。
【００３８】
横ホース５２は、左右に配置された外側ホース５１ａの間に掛け渡される中間ホース５２ａで構成している。中間ホース５２ａは、マット本体１１の上部領域ａ及び中央領域ｂ及び下部領域ｃの中央部に配索するとともに、該マット本体１１の長手方向Ｂに対し所定間隔を隔てて４本配索している。
【００３９】
縦ホース５１のホース５１ａ，５１ｂ及び横ホース５２のホース５２ａは、下層マット２０と中層マット３０との対向面に沿ってＴ字状に当接されるようにして水平配索している。また、ホース５１ａ，５１ｂ，５２ａをＴ字状に当接する格子の角に対応する接続部分は、後述するＴ字状のジョイント５４により連通接続している（図４のｂ部拡大図参照）。
【００４０】
また、ホース５１ａ，５１ｂ，５２ａ及びジョイント５４は、後述するエアーバッグ６０によってエアーＤの噴射が妨げられないように配置している。
【００４１】
ジョイント５４は、図６、図７に示すように、ホース５１ａ，５１ｂ，５２ａの直径よりも大径に形成された本体５５と、ホース５１ａ，５１ｂ，５２ａが接続される接続ポート５６，５７，５８とで構成され、エアー供給ホース５０が配索された平面に沿って接続ポート５６，５７，５８が３方に向けて水平に形成されたＴ字形ジョイントである。  
また、ジョイント５４は、硬質のＡＢＳ樹脂で形成され、エアーＤの供給が妨げられない程度の硬さに形成している。
【００４２】
接続ポート５６，５７は、本体５５の両側部に対し直線方向に連通して形成している。また、接続ポート５８は、本体５５の中央部側面に対し接続ポート５６，５７の接続方向と直交する方向に向けて形成している。  
つまり、接続ポート５６，５７，５８は、ホース５１ａ，５１ｂ，５２ａがＴ字状に当接される方向に向けて水平に形成している。
【００４３】
本体５５の中央部上面（表面）であって、中層マット３０の裏面と対向する面には、エアー供給ホース５０が配索された平面に対し直交する方向に向けて、後述するエアー供給装置６８（例えばエアーポンプ）から送られるエアーＤを噴射するための噴射孔５９を垂直に形成している（図２参照）。
【００４４】
噴射孔５９のエアー噴射方向（図中点線矢印で示す方向）は、エアー供給ホース５０が配索された平面に対し直交する方向に設定している。なお、噴射孔５９の孔径は、０．５φｍｍに形成している。
【００４５】
また、エアー供給ホース５０の各接続部分に設けられたジョイント５４は下層マット２０と中層マット３０との対向面間に挟み込んでいる。  
つまり、ジョイント５４の３方に設けられた接続ポート５６，５７，５８と、接続ポート５６，５７，５８に接続されたホース５１ａ，５１ｂ，５２ａとを下層マット２０及び中層マット３０で挟持して水平に支持している（図２のａ部拡大図参照）。
【００４６】
例えばマット本体１１上に寝転んだ利用者Ａに向けてエアーＤが噴射されるように設定する場合、図１に示すように、エアー供給ホース５０が配索された平面に対し直交する方向に向けて噴射孔５９が垂直に形成されたジョイント５４（図６参照）は、エアー供給ホース５０の外周より内側に設けられたホース５１ａ，５１ｂ，５２ａがＴ字状に接続される接続部分に配置する。
【００４７】
また、エアー供給ホース５０が配索された平面に対しθ角度傾斜する方向に向けて噴射孔５９が斜めに形成されたジョイント５４（図７参照）は、エアー供給ホース５０の外周に設けられたホース５１ａ，５１ｂ，５２ａがＴ字状に接続される接続部分に配置する。
【００４８】
これにより、ジョイント５４の噴射孔５９から噴射されるエアーＤが、マット本体１１の中央部に寝転んだ利用者Ａの身体、あるいは、マット本体１１の上方中央部に向けて集中して吹き出される。
【００４９】
図６、図７に示すジョイント５４を製造する場合、例えば接続ポート５６，５７，５８を成形するための金型と、本体５５及び噴射孔５９を成形するための金型とを用いて一体成形する。  
つまり、接続ポート５６，５７，５８を成形する金型が共通しているので、本体５５及び噴射孔５９を成形するための金型を交換するだけで、噴射孔５９のエアー噴射角度が異なる２種類のジョイント５４を簡単且つ容易に製造することができ、製造コストの低減を図ることができる。
【００５０】
接続ポート５６，５７，５８の先端側外周面には、ホース５１ａ，５１ｂ，５２ａの端部を抜止めするための抜止め部５６ａ，５７ａ，５８ａが形成されている。  
抜止め部５６ａ，５７ａ，５８ａは、接続ポート５６，５７，５８の先端部から中央部に向けて徐々に大径となる傘形状に形成され、ホース５１ａ，５１ｂ，５２ａの内周面に対し差込み方向とは逆向きに係止される。
【００５１】
接続ポート５６，５７，５８の基端側外周面は、ホース５１ａ，５１ｂ，５２ａの内周面に対し密着される外径に形成している。
【００５２】
つまり、ホース５１ａ，５１ｂ，５２ａを径方向に拡張しながら抜止め部５６ａ，５７ａ，５８ａに被せて、本体５５の接続ポート５６，５７，５８が形成された端面に対し押し当てられる位置まで深く差し込む。
【００５３】
すると、ホース５１ａ，５１ｂ，５２ａ自体の復元力により、該ホース５１ａ，５１ｂ，５２ａの内周面が接続ポート５６，５７，５８の外周面に対し気密状態に密着される。また、抜止め部５６ａ，５７ａ，５８ａがホース５１ａ，５１ｂ，５２ａの内周面に対し差込み方向とは逆の方向に向けて係止される。
【００５４】
これにより、ホース５１ａ，５１ｂ，５２ａを接続ポート５６，５７，５８に対し連通接続することができる。
【００５５】
また、エアー供給ホース５０は、電磁弁６４及び供給ホース６５を介して、エアー供給装置６８（例えばエアーポンプ）に接続している。電磁弁６４は、後述するリモートコントロール７０により予め記憶された動作プログラムに沿って開閉動作される。
【００５６】
電磁弁６４を開放すると、エアー供給装置６８からエアー供給ホース５０へのエアー供給が開始され、エアー供給ホース５０の各接続部分に設けられたジョイント５４の噴射孔５９からエアーＤが噴射される。また、電磁弁６４を閉塞すると、エアー供給装置６８からエアー供給ホース５０へのエアー供給が停止され、エアーの噴射が停止される。
【００５７】
前記エアーバッグ６０は、肩用バッグ６０ａと、背用バッグ６０ｂと、腰用バッグ６０ｃと、脚用バッグ６０ｄとで構成している。バッグ６０ａ〜６０ｄは、マット本体１１上に寝転んだ利用者Ａの肩部と、背部と、腰部と、脚部とに対応する部分にそれぞれ配置している（図１の点線参照）。
【００５８】
バッグ６０ａ〜６０ｄには、該バッグ６０ａ〜６０ｄが押し付けられた部分に対し振動を付与するための振動発生器（図示省略）を取り付けている。
【００５９】
また、エアーバッグ６０は、電磁弁６６及び供給ホース６７を介して、エアー供給装置６８に接続している。電磁弁６６は、後述するリモートコントロール７０により予め記憶された動作プログラムに沿って開閉動作される。
【００６０】
電磁弁６６を開放すると、エアー供給装置６８からエアーバッグ６０へのエアー供給が開始され、バッグ６０ａ〜６０ｄが膨張する。また、電磁弁６６を閉塞すると、エアー供給装置６８からエアーバッグ６０へのエアー供給が停止され、バッグ６０ａ〜６０ｄが収縮する。また、バッグ６０ａ〜６０ｄの中からいずれか一つ又は複数を選択して膨張及び収縮させることもできる。
【００６１】
リモートコントロール７０は、マット本体１１の側部に接続されており、電磁弁６４，６６の開閉を制御する動作プログラムと、エアー供給装置６８の駆動及び停止を制御する動作プログラムとが記憶されている。  
また、リモートコントロール７０は、図示しない開始スイッチ及び停止スイッチに加えて、エアーＤの噴射を開始及び停止する機能と、そのエアーＤの噴射時間を設定する機能と、マッサージ及び振動する部分を選択する機能と、マッサージ及び振動の強さを選択する機能と、マッサージの時間を設定する機能とを備えている。
【００６２】
上述の寝具用マット１０を利用して利用者Ａが睡眠や休息をとる方法を説明する。  
先ず、リモートコントロール７０の空冷・換気スイッチ（図示省略）をＯＮ操作して、電磁弁６６を閉塞し、エアー供給装置６８からエアーバッグ６０へのエアー供給を停止する。
【００６３】
また、電磁弁６４ａ，６４ｂの両方又は一方を開放し、エアー供給装置６８からエアー供給ホース５０へのエアー供給を開始する。これにより、エアー供給ホース５０の各接続部分に設けられたジョイント５４の噴射孔５９からエアーＤがエアー噴射方向（図中点線矢印で示す方向）に向けて噴射される。
【００６４】
つまり、ジョイント５４の噴射孔５９から噴射されるエアーＤがマット本体１１の内部から外側に向けて噴射され、寝具用マット１０上に寝転んだ利用者Ａの身体付近や寝具用マット１０の中央部付近に向けて集中して吹き出される（図１、図２参照）。
【００６５】
また、エアーＤは、利用者Ａの身体付近や寝具用マット１０の中央部付近から外側に向けて排出されるので、利用者Ａの身体付近に熱や湿気が溜まりにくく、利用者Ａの身体が効率よく短い時間で空冷される。  
これにより、体温上昇による発汗や蒸れを防止する効果が一段と向上するとともに、寝心地が良く、快適な睡眠や休息をとることができる。
【００６６】
また、ジョイント５４の噴射孔５９から噴射されるエアーＤは、利用者Ａの身体付近や寝具用マット１０の中央部付近に向けて集中して吹き出されるので、空冷及び換気に使用されるエアーＤの損失量が少なく、効率よく空冷及び換気することができる。
【００６７】
また、寝具用マット１０の内部に溜まった熱や湿気は、ジョイント５４の噴射孔５９から噴射されるエアーＤの吐出力によって下層マット２０の谷部２２…に沿って短手方向Ｃへ送られるので、寝具用マット１０の内部（特に中央部付近）に熱や湿気が溜まりにくく、寝具用マット１０の内部から外側（大気側）に向けて効率よく排出することができる。
【００６８】
これにより、汗などの水分・湿気が寝具用マット１０及びカバー１２の表面に溜まりにくく、その表面がサラッするため、睡眠中や休憩中の利用者Ａに対し心地良い肌触り感を与えることができる。また、寝具用マット１０の内部から水分・湿気を排出して除湿するので、ダニやカビ等が発生するのを防止することができる。
【００６９】
次に、寝具用マット１０上に寝転んだ利用者Ａをマッサージする場合、リモートコントロール７０のマッサージスイッチ（図示省略）をＯＮ操作すると、電磁弁６４が閉塞され、エアー供給装置６８からエアー供給ホース５０へのエアー供給が停止される。
【００７０】
また、電磁弁６６が開放され、エアー供給装置６８からエアーバッグ６０へのエアー供給が開始される。また、予め記憶された動作プログラムに沿って電磁弁６６が開閉動作され、エアーバッグ６０のバッグ６０ａ〜６０ｄが膨張及び収縮される（図１、図３参照）。
【００７１】
つまり、バッグ６０ａ〜６０ｄの中からいずれか一つ又は複数を選択して膨張及び収縮させることにより、バッグ６０ａ〜６０ｄが押し付けられた利用者Ａの肩部、背部、腰部、脚部の所望する部分をマッサージすることができる。
【００７２】
また、バッグ６０ａ〜６０ｄに取り付けられた振動発生器（図示省略）を振動させて、バッグ６０ａ〜６０ｄが押し付けられた利用者Ａの肩部、背部、腰部、脚部に対し振動を付加すれば、マッサージ効果を一段と高めることができる。
【００７３】
これにより、例えば疲労回復、血行促進、筋肉の疲れをとる、筋肉のコリをほぐす、神経痛、筋肉痛の痛みの緩和等のマッサージ効果が得られる。
【００７４】
また、マッサージ時において、電磁弁６４を開放して、ジョイント５４の噴射孔５９から噴射されるエアーＤにより利用者Ａの身体を空冷しながら、エアーバッグ５０の膨張・収縮によりマッサージを行ってもよい。
【００７５】
本実施形態の寝具用マット１０は、下層マット２０と中層マット３０との対向面間に、格子状に配索されたエアー供給ホース５０と、エアー供給ホース５０の各格子の角となる接続部分に設けられたＴ字状のジョイント５４とを平面状に配置して挟み込むとともに、ジョイント５４の３方に設けられた接続ポート５６，５７，５８と、接続ポート５６，５７，５８に接続されたホース５１ａ，５１ｂ，５２ａとを下層マット２０及び中層マット３０により挟持して水平に支持している。
【００７６】
これにより、利用者Ａの体重が寝具用マット１０の内部に配索されたエアー供給ホース５０の接続部分に付加されても、その接続部分に設けられたジョイント５４の噴射孔５９のエアー噴射方向が変位することがなく、予め設定されたエアー噴射方向に向けてエアーＤを噴射することができる。
【００７７】
つまり、エアーＤを噴射するための噴射孔５９を、ジョイント５４の本体５５の中央部上面であって、中層マット３０の裏面と対向する面に形成しているので、例えば寝転がった時、または寝返り時等に付加される利用者Ａの体重によって、寝具用マットの内部に配索されたエアー供給ホース５０が周方向に回転（例えばねじれ）するか、マット本体１１の引っ張り力によって格子状でない形状に変形する等しても、Ｔ字状のジョイント５４は周方向に回転しにくい形状であるため、ジョイント５４の本体５５に形成された噴射孔５９のエアー噴射方向が変位しにくく、エアー噴射方向の安定を図ることができる。
【００７８】
また、ジョイント５４の本体５５には、エアーＤを噴射するための噴射孔５９を予め定められたエアー噴射方向に向けて形成しているので、ジョイント５４を下層マット２０上に配置するか、下層マット２０と中層マット３０との間に配置するだけで、エアー噴射方向を簡単且つ容易に決定することができる。
【００７９】
また、エアー供給ホース５０のホース５１ａ，５１ｂ，５２ａを格子状に接続して、ホース５１ａ，５１ｂ，５２ａの接続間隔を一定に保っているので、各接続部分に設けられたジョイント５４の噴射孔５９の間隔や位置が変位しにくく、予め設定されたエアー噴射方向及びエアー噴射間隔を保つことができる。
【００８０】
また、ジョイント５４の噴射孔５９から噴射されるエアーＤのエアー噴射方向が常時一定しているので、寝具用マット１０上に寝転んだ利用者Ａの身体の表面温度を下げる冷却効果、寝具用マット１０の内部に溜まった熱や湿気を排出する換気効果が安定して得られる。
【００８１】
また、ジョイント５４の噴射孔５９から噴射されるエアーＤが利用者Ａの身体付近や寝具用マット１０の中央部付近に向けて集中して吹き出されるので、利用者Ａの身体付近に熱や湿気が溜まりにくく、利用者Ａの身体が効率よく空冷される。  
これにより、体温上昇による発汗や蒸れを防止することができるとともに、寝心地が良く、快適な睡眠や休息をとることができる。
【００８２】
また、硬質のＡＢＳ樹脂で形成されたジョイント５４をエアー供給ホース５０の各接続部分にそれぞれ配置しているので、利用者Ａの体重が寝具用マット１０の内部に配索されたエアー供給ホース５０の接続部分に付加されても、その接続部分に設けられたジョイント５４が変形しにくく、ジョイント５４の噴射孔５９のエアー噴射方向を予め設定された方向に保つことができる。
【００８３】
また、エアー供給ホース５０の各接続部分に設けられるジョイント５４の種類が１種類であるため、寝具用マット１０全体の構成部品が少なくて済み、寝具用マット１０を製造する作業が簡単且つ容易に行える。
【００８４】
また、寝具用マット１０に利用者Ａが寝転がった際、利用者Ａの体重が付加される部分が大きく沈み込むことになるが、その沈み込み量が大きい部分から離れるに伴って沈み込み量が小さくなる。  
つまり、寝具用マット１０の内部に配索されたエアー供給ホース５０は、寝具用マット１０の沈み込み量の大きい中央部から沈み込み量が小さい外周部に向けて徐々に高くなるように傾斜するか湾曲することになる。  
これにより、エアー供給ホース５０の曲がり具合に応じて、各格子の角に配置されたジョイント５４のエアー噴射方向も変更されるので、寝具用マット１０に寝転んだ利用者Ａの身体に向けて、ジョイント５４の噴射孔５９から噴射されるエアーＤが吹き付けられやすくなる。
【００８５】
図８は、エアー供給ホース５０を利用者Ａの頭部と対応する領域を除いた他の領域に配索した寝具用マット１０の他の例を示す斜視図である。  
本例の寝具用マット１０は、エアー供給ホース５０を、マット本体１１上の利用者Ａの頭部と対応する領域を除いた他の領域に配索した構成である。
【００８６】
つまり、エアー供給ホース５０の各接続部分に設けられたジョイント５４の噴射孔５９から噴射されるエアーＤが、利用者Ａの頭部を除いた他の部分（例えば肩部、背部、腰部、脚部、腰部）に吹き付けられる。
【００８７】
これにより、利用者Ａの頭部を除いた発汗が多い身体部分が効率よく空冷されるので、前記実施形態と略同等の作用及び効果を奏することができる。  
また、エアー供給ホース５０が配索される領域を、例えば頭部、肩部、背部、腰部、脚部、腰部等の中から選択した所望する単一領域或いは複数領域に変更してもよい。
【００８８】
図９は、エアー供給ホース５０のみを配索した寝具用マット１０のその他の例を示す斜視図である。  
本例の寝具用マット１０は、エアー供給ホース５０のみを下層マット２０と中層マット３０との間に配索した構成である。
【００８９】
つまり、エアー供給ホース５０の各接続部分に設けられたジョイント５４の噴射孔５９から噴射されるエアーＤが、マット本体１１上に寝転んだ利用者Ａの身体付近やマット本体１１の中央部付近に向けて吹き付けられる。  
これにより、利用者Ａの身体付近に熱や湿気が溜まりにくく、マット本体１１の内部に溜まった熱や湿気が効率よく排出されるので、前記実施形態と略同等の作用及び効果を奏することができる。
【００９０】
マット本体１１の内部からエアーバッグ６０を取り除くことにより、マット本体１１の構成部品が少なくなるので、マット本体１１を製造する作業が簡単且つ容易に行えるとともに、安価に製造することができる。  
また、エアーバッグ６０の重量分だけマット本体１１の総重量が軽くなり、さらに、エアーバッグ６０の厚み分だけマット本体１１の肉厚が薄くなるので、軽量化及び薄型化が図れる。
【００９１】
さらに、下層マット２０の表面に向けてエアーＤが噴射されるようにジョイント５４が配置された別のエアー供給ホース（図示省略）を、前記実施形態のエアー供給ホース５０の下側に配索するか、あるいは、前記下層マット２０と該下層マット２０の上に重ね合わされた別のマット（図示省略）との間に配索してもよい。  
つまり、除湿時において、寝具用マット１０をベランダや壁等に立てかけて、マット本体１１の表裏両面からエアーＤを同時に噴射すれば、効率よく除湿することができ、除湿に要する時間を短縮することができる。
【００９２】
この発明の構成と、前記実施形態との対応において、  
この発明のマット体は、実施形態の下層マット２０と、中層マット３０と、上層マット４０に対応し、  
以下同様に、  
複数のホースは、ホース５１ａ，５１ｂ，５２ａと対応し、  
エアー供給源は、エアー供給装置６８に対応するも、  
この発明は、上述の実施形態の構成のみに限定されるものではなく、請求項に示される技術思想に基づいて応用することができ、多くの実施の形態を得ることができる。
【００９３】
例えば３本のホースをＹ字状に交差して接続する場合、Ｙ字状のジョイントを用いて接続する。また、４本のホースを十字状に交差して接続する場合、十字状のジョイントを用いて接続する。  
つまり、２本以上のホースを接続する場合、そのホースの本数や交差と対応する形状に形成されたジョイントを用いて接続するので、実施形態のＴ字状のジョイント５４のみに限定されるものではない。
【符号の説明】
【００９４】
Ａ…利用者
Ｄ…エアー
１０…寝具用マット
１１…マット本体
１２…カバー
２０…下層マット
３０…中層マット
４０…上層マット
５０…エアー供給ホース
５１…縦ホース
５１ａ…外側ホース
５１ｂ…内側ホース
５２…横ホース
５２ａ…中間ホース
５４…ジョイント
５５…本体
５６，５７，５８…接続ポート
５９…噴射孔
６０…エアーバッグ
６４，６６…電磁弁
６５，６７…供給ホース
６８…エアー供給装置
７０…リモートコントロール
【図１】
0005616139.tif 000002
【図２】
0005616139.tif 000003
【図３】
0005616139.tif 000004
【図４】
0005616139.tif 000005
【図５】
0005616139.tif 000006
【図６】
0005616139.tif 000007
【図７】
0005616139.tif 000008
【図８】
0005616139.tif 000009
【図９】
0005616139.tif 000010